(57)【要約】【課題】安全性を確保するとともに、見映えを損なうことなく高さを調整して肘掛けを簡単に取り付ける。【解決手段】トイレ本体２の天板２１の取付穴２１ａに形成された雌ねじ６ａに対応する雄ねじ７ａが形成された締付部材７と、締付部材７の内径よりも大きな外径のフランジ８１を有するとともに、フランジ８１の上方に肘掛けの支柱３２に形成された雌ねじ３２ａに対応する雄ねじ８２ａが形成された固定部材８と、上半部に固定部材８の雄ねじ８２ａと同一の雄ねじ９ａが形成されるとともに、下半部に支柱３２の雌ねじ３２ａと同一の雌ねじ９１ａが形成された調整部材９と、を備え、固定部材８または固定部材８に締結された調整部材９が肘掛けの支柱３２に締結され、天板２１の取付穴２１ａの支持部２１ｂに固定部材８のフランジ８１が載置され、肘掛けの支柱３２に挿通された締付部材７が取付穴２１ａの雌ねじ６ａに螺合される。【選択図】図２
2005066038.tif 000002
【特許請求の範囲】
【請求項１】
中央に開口部が形成された天板および天板の周縁に垂設された周壁からなる合成樹脂製のトイレ本体と、トイレ本体の天板に設けられた肘掛けと、を備えたポータブルトイレにおいて、天板の取付穴に形成された雌ねじに対応する雄ねじが形成された締付部材と、締付部材の内径よりも大きな外径のフランジを有するとともに、フランジの上方に肘掛けの支柱に形成された雌ねじに対応する雄ねじが形成された固定部材と、上半部に固定部材の雄ねじと同一の雄ねじが形成されるとともに、下半部に支柱の雌ねじと同一の雌ねじが形成された１個もしくは複数個の調整部材と、からなり、固定部材の雄ねじもしくは固定部材の雄ねじに雌ねじを螺合した調整部材の雄ねじが肘掛けの支柱の雌ねじに螺合され、天板の取付穴に形成された支持部に固定部材のフランジが載置されて肘掛けの支柱に挿通された締付部材が天板の雌ねじに螺合されることを特徴とするポータブルトイレの肘掛け取付構造。
【請求項２】
前記固定部材のフランジの下方に、該雄ねじに対応する雌ねじが形成されていることを特徴とする請求項１記載のポータブルトイレの肘掛け取付構造。
【発明の詳細な説明】
【技術分野】
【０００１】
本発明は、ポータブルトイレの肘掛け取付構造に関するものである。
【背景技術】
【０００２】
一般に、トイレ室での用便が困難な場合には、ポータブルトイレが使用される。このようなポータブルトイレは、中央に開口部が形成された天板および天板の周縁に垂設された周壁からなるトイレ本体が合成樹脂によって一体に成形されて、持ち運びできるように構成され、天板の開口部を通して内部に挿入された汚物ポットを天板に支持することができるものである。
【０００３】
このようなポータブルトイレにおいても、腰掛け動作や立ち上がり動作時の負担を軽減したり、あるいは、背中を支持する必要性から、肘掛けや背当てが設けられることが好ましい。
【０００４】
ここで、肘掛けを取り付けるには、特許文献１に示すように、トイレ本体の天板に雌ねじを形成する一方、肘掛けの支柱に回転可能な雄ねじ部材を設け、天板の雌ねじに肘掛けの支柱の雄ねじをねじ込んで固定したり、特許文献２に示すように、トイレ本体の天板に肘掛けの支柱を嵌合可能な嵌合穴を形成し、天板の嵌合穴に肘掛けの支柱を嵌合し、周壁に形成された取付穴を通して支柱のキー穴に固定キーを挿入して固定することが提案されている。
【特許文献１】特開２００２−５０２号公報
【特許文献１】特開２００２−５１９３７号公報
【発明の開示】
【発明が解決しようとする課題】
【０００５】
ところで、引用文献１に記載された肘掛けの取付構造においては、トイレ本体の上面側からの作業によって肘掛けを取り付けることができるため、トイレ本体を反転して裏面側から作業する場合に比較して、少ない労力で容易に作業できる利点があるものの、天板上面から肘掛け本体の上面までの高さが一定であり、使用者の体格に合わせて調整することができないという欠点がある。
【０００６】
また、引用文献２に記載された肘掛けの取付構造においては、引用文献１の場合と同様に、トイレ本体の上面側からの作業によって肘掛けを取り付けることができるため、少ない労力で容易に作業できる利点があるとともに、固定キーを挿入するキー穴あるいは取付穴を複数個設けることにより、肘掛けの高さを調整することが可能となる。
【０００７】
しかしながら、このような取付構造では、周壁あるいは肘掛けの支柱に穴が開いた箇所が露出し、見映えが損なわれる他、身体の一部、例えば、指が入り込んだり、着衣の一部が引っ掛かるなどの危険がある。このため、不用意に指などが入らないように、穴を塞ぐなどの手当てが必要となり、組み立てが煩雑になるという問題がある。
【０００８】
本発明は、このような問題点に鑑みてなされたもので、見映えを損なうことなく高さを調整して肘掛けを簡単に取り付けることができるとともに、安全に使用することができるポータブルトイレの肘掛け取付構造を提供するものである。
【課題を解決するための手段】
【０００９】
本発明は、中央に開口部が形成された天板および天板の周縁に垂設された周壁からなる
合成樹脂製のトイレ本体と、トイレ本体の天板に設けられた肘掛けと、を備えたポータブルトイレにおいて、天板の取付穴に形成された雌ねじに対応する雄ねじが形成された締付部材と、締付部材の内径よりも大きな外径のフランジを有するとともに、フランジの上方に肘掛けの支柱に形成された雌ねじに対応する雄ねじが形成された固定部材と、上半部に固定部材の雄ねじと同一の雄ねじが形成されるとともに、下半部に支柱の雌ねじと同一の雌ねじが形成された１個もしくは複数個の調整部材と、からなり、固定部材の雄ねじもしくは固定部材の雄ねじに雌ねじを螺合した調整部材の雄ねじが肘掛けの支柱の雌ねじに螺合され、天板の取付穴に形成された支持部に固定部材のフランジが載置されて肘掛けの支柱に挿通された締付部材が天板の雌ねじに螺合されることを特徴とするものである。
【００１０】
本発明によれば、肘掛けの支柱に締付部材を嵌挿した後、該支柱に固定部材を挿入し、支柱の雌ねじに固定部材の雄ねじを螺合して締結する。この状態で、トイレ本体の天板に形成された各取付穴に、肘掛けの支柱に締結された固定部材を嵌挿する。この際、固定部材のフランジが天板に形成された取付穴の支持部に載置される。次いで、天板の取付穴に形成された雌ねじに締付部材の雄ねじを螺合して締結すれば、肘掛けをトイレ本体の天板に取り付けることができる。
【００１１】
ここで、肘掛けに作用する押圧力は、支柱に締結された固定部材のフランジがトイレ本体を構成する天板の取付穴の支持部に載置されていることにより、支持することができる。また、肘掛けに作用する引き抜き力は、支柱に締結された固定部材のフランジが、天板の取付穴に形成された雌ねじに螺合された締付部材に当接することにより支持することができる。
【００１２】
この結果、肘掛けをトイレ本体の天板の上方側から取り付けることができ、容易に取付作業を行うことができる。
【００１３】
一方、肘掛けの高さを高くしたい場合には、肘掛けの支柱に固定部材を挿入するのに先立って、固定部材の雄ねじに調整部材の雌ねじを螺合して締結した後、肘掛けの支柱に固定部材を挿入し、固定部材に締結された調整部材の雄ねじを支柱の雌ねじに螺合して締結する。次いで、同様に、トイレ本体の天板に形成された各取付穴に、肘掛けの支柱に調整部材を介して締結された固定部材を嵌挿して、固定部材のフランジを天板に形成された取付穴の支持部に載置した後、天板の取付穴に形成された雌ねじに締付部材の雄ねじを螺合して締結すれば、肘掛けをトイレ本体の天板に取り付けることができる。
【００１４】
この際、肘掛けの支柱は、固定部材のフランジが天板の取付穴の支持部に載置された状態で、固定部材の雄ねじに螺合された調整部材の雄ねじに螺合される。このため、肘掛けの支柱は、固定部材の雄ねじに直接螺合される場合よりも高い位置で螺合されることになり、肘掛けの高さを上方に調整することができる。
【００１５】
ここで、固定部材の雄ねじに一の調整部材の雌ねじを螺合するとともに、一の調整部材の雄ねじに他の調整部材の雌ねじを順に螺合することにより、固定部材に複数個の調整部材を締結することができる。この場合、肘掛けの支柱は、固定部材に締結された複数個の調整部材のうち、最上の調整部材の雄ねじに螺合されるため、肘掛けの高さを互いに螺合された複数個の調整部材の分だけ上方に調整することができる。
【００１６】
したがって、肘掛けの高さを、使用者の体格に合わせて１個もしくは複数個の調整部材によって調整することが可能となる。
【００１７】
本発明において、前記固定部材のフランジの下方に、該雄ねじに対応する雌ねじが形成されていると、固定部材の雌ねじに調整部材の雄ねじを螺合して締結したり、固定部材の
雌ねじに一の調整部材の雄ねじを螺合して締結するとともに、一の調整部材の雌ねじに他の調整部材の雄ねじを順に螺合して締結することができ、使用しない調整部材を固定部材を利用してトイレ本体の内部に格納しておくことができる。
【発明の効果】
【００１８】
以上のように本発明によれば、見映えを損なうことなく高さを調整して肘掛けを簡単に取り付けることができるとともに、安全に使用することができる。
【発明を実施するための最良の形態】
【００１９】
以下、本発明の実施の形態を図面を参照して説明する。
【００２０】
図１および図２には、本発明のポータブルトイレの肘掛け取付構造の一実施形態が示されている。
【００２１】
このポータブルトイレ１は、中央に開口部（図示せず）が形成された天板２１および天板２１の周縁に垂設された周壁２２からなる合成樹脂製のトイレ本体２と、トイレ本体２の天板２１に取り付けられた肘掛け３および背当て４と、から構成され、持ち運びできるようになっている。そして、天板２１の開口部は、通常天板２１に開閉自在に軸支されたカバー５によって覆われている。また、図示しない汚物ポットを、天板２１の開口部を通して内部に挿入して天板２１に支持することができる。
【００２２】
ところで、肘掛け３は、肘掛け本体３１と、肘掛け本体３１に前後方向に間隔をおいて垂設された２本の支柱３２と、からなり、トイレ本体２の天板２１の左右端縁部にそれぞれ前後方向に間隔をおいて形成された２個の取付穴２１ａに各支柱３２がそれぞれ差し込まれて固定される。
【００２３】
ここで、肘掛け３の支柱３２は、後述する締付部材７の穴径よりも若干小さな外径の筒状に形成され、その下端部には、後述する固定部材８の雄ねじ８２ａまたは調整部材９の雄ねじ９ａに対応する雌ねじ３２ａ（図２参照）が形成されている。
【００２４】
そして、トイレ本体２の天板２１に形成された取付穴２１ａに肘掛け３を取り付けるため、ナット部材６、締付部材７、固定部材８および複数個の調整部材９が用意されている。
【００２５】
ナット部材６は、図３に示すように、天板２１に形成された取付穴２１ａの穴径に合致する外径を有する筒状体であって、内周面に雌ねじ６ａが形成されている他、図示しない係合突起やフック部を備えている。
【００２６】
なお、天板２１に形成された取付穴２１ａにも、ナット部材６の係合突起やフック部に対応する係合溝や係止部が形成されており、ナット部材６を天板２１の取付穴２１ａに嵌め込むことにより、回転不能に取り付けることができる。
【００２７】
締付部材７は、図４に示すように、肘掛け３の支柱３２の外径よりも若干大きな穴径を有する筒状体であって、外周面の上半部には、把握部７１が形成される一方、その下半部には、ナット部材６の雌ねじ６ａに対応する雄ねじ７ａが形成されている。
【００２８】
また、固定部材８は、図５に示すように、フランジ８１と、フランジ８１の上面側に一体に形成された筒部８２およびガイド部８３と、フランジ８１の下面側に一体に形成された把握部８４と、からなり、フランジ８１は、前述したナット部材６の雌ねじ６ａの内径よりも小さく、締付部材７の穴径よりも大きな外径を有している。そして、筒部８２の外
周面には、肘掛け３の支柱３２の雌ねじ３２ａに対応する雄ねじ８２ａが形成され、また、把握部８４は、肘掛け３の支柱３２の外径にほぼ一致する外径を有し、その内周面には、肘掛け３の支柱３２の雌ねじ３２ａと同一の雌ねじ８４ａが形成されている。
【００２９】
なお、ガイド部８３は、肘掛け３の支柱３２の穴径よりも小さな外径に形成されて、支柱３２の内部に嵌入可能となっている。
【００３０】
調整部材９は、図６に示すように、前述した固定部材８のガイド部８３の外径よりもやや大きな穴径の内周面を上半部に有するとともに、固定部材８の把握部８４の外径と一致する外径の把握部９１を下半部に有し、上半部の外周面には、固定部材８の筒部８２の雄ねじ８２ａと同一の雄ねじ９ａが形成され、把握部９１の内周面には、肘掛け３の支柱３２の雌ねじ３２ａと同一の雌ねじ９１ａが形成されている。
【００３１】
したがって、図７に示すように、固定部材８のガイド部８３を通して調整部材９を嵌挿し、その雌ねじ９１ａを固定部材８の雄ねじ８２ａに螺合して締結することができ、さらに、固定部材８のガイド部８３を通して新たな調整部材９を嵌挿し、先に固定部材９に締結された調整部材９の雄ねじ９ａに新たな調整部材９の雌ねじ９１ａを螺合して締結することができる。このように、固定部材９に対して１個もしくは複数個の調整部材９をガイド部８３側に装着することができる。
【００３２】
一方、図８に示すように、固定部材８の雌ねじ８４ａに調整部材９の雄ねじ９ａを螺合して締結することができ、さらに、先に固定部材９に締結された調整部材９の雌ねじ９１ａに新たな調整部材９の雄ねじ９ａを螺合して締結することができる。このように、固定部材９に対して１個もしくは複数個の調整部材９を把握部８４側に装着することもできる。
【００３３】
なお、トイレ本体２の天板２１に形成された取付穴２１ａの下端部には、固定部材８のフランジ８１を支持する支持部としての内向きフランジ２１ｂが形成されており、その穴径は、固定部材８の把握部８４が挿通可能な大きさに設定されている。
【００３４】
次に、このように構成された肘掛けの取付要領について説明する。
【００３５】
まず、トイレ本体２の天板２１に形成された各取付穴２１ａにそれぞれナット部材６を位置決めして強制的に嵌め込み、天板２１の取付穴２１ａにナット部材６を取り付けておく。また、肘掛け３の各支柱３２にそれぞれ締付部材７を嵌挿した後、各支柱３２の内部に固定部材８のガイド部８３を挿入し、支柱３２の雌ねじ３２ａに固定部材８の雄ねじ８２ａをねじ込んで締結する。
【００３６】
この際、図８に示したように、固定部材８の雌ねじ８４ａに調整部材９の雄ねじ９ａをねじ込んで締結するとともに、先に締結された調整部材９の雌ねじ９１ａに新たな調整部材９の雄ねじ９ａをねじ込んで締結しておく。
【００３７】
この状態で、肘掛け３の支柱３２を把握し、天板２１に形成された取付穴２１ａに嵌入する。この場合、固定部材８に締結された調整部材９が取付穴２１ａの内向きフランジ２１ｂの穴を通過すると、支柱３２に締結された固定部材８のフランジ８１が取付穴２１ａの内向きフランジ２１ｂに載置される。この後、締付部材７をねじ込めば、締付部材７が取付穴２１ａに設置されたナット部材６と締結されることにより、肘掛け３を取り付けることができる。
【００３８】
この結果、肘掛け３の支柱３２に締付部材７を嵌挿するとともに、固定部材８を締結し
、天板２１の取付穴２１ａに支柱３２に締結された固定部材８を嵌入した後、締付部材７を締結すればよいことから、肘掛け３を簡単に取り付けることができる。しかも、トイレ本体２を反転することなく天板２１の上方側から作業できることから、少ない労力で取付作業を行うことができる。また、肘掛け３の取付に際して、締付部材７以外に外部に露出するものはなく、見映えが損なわれることもない他、身体の一部や着衣の一部が引っ掛かるなどのおそれもない。
【００３９】
このようにして取り付けられた肘掛け３においては、肘掛け本体３１に使用者の負荷が作用したとしても、天板２１の取付穴２１ａの内向きフランジ２１ｂに、支柱３２に締結された固定部材８のフランジ８１が載置されていることにより、使用者の負荷を支持することができる。また、肘掛け３に引き抜き力が作用したとしても、天板２１の取付穴２１ａに設けられたナット部材６に締付部材７が締結されており、この締付部材７に、支柱３２に締結された固定部材８のフランジ８１が当接することにより、肘掛け３の抜け出しを防止して引き抜き力に抗することができる。
【００４０】
また、調整部材９は、固定部材８に締結されて、トイレ本体２の内部に人目につかないように保管されており、紛失することはない。
【００４１】
ところで、肘掛け３を高く調整する必要が生じた場合には、締付部材７を緩めて肘掛け３を引き上げた後、固定部材８を緩めて肘掛け３の支柱３２から離脱させる。そして、固定部材８に締結された調整部材９のうち、下方の調整部材９を緩めて上方の調整部材９から離脱させた後、離脱させた調整部材９を固定部材８のガイド部８３を通して嵌挿し、調整部材９の雌ねじ９１ａを固定部材８の雄ねじ８２ａにねじ込んで締結する。この後、再び肘掛け３の支柱３２の内部に固定部材８のガイド部８３を挿入し、支柱３２の雌ねじ３２ａに、固定部材８に締結された調整部材９の雄ねじ９ａをねじ込んで締結する。
【００４２】
次いで、同様に、肘掛け３の支柱３２を把握して天板２１に形成された取付穴２１ａに嵌入した後、締付部材７をねじ込み、ナット部材６に締結させることにより、肘掛け３を取り付けることができる（図９参照）。
【００４３】
この場合、固定部材８に締結された調整部材９の雄ねじ９ａに肘掛け３の支柱３２の雌ねじ３２ａが螺合されているため、固定部材８のフランジ８１が取付穴２１ａの内向きフランジ２１ｂに載置された際の支柱３２の長さは、固定部材８と直接締結される場合（図２参照）に比較して、調整部材９の分だけ長くなっている。
【００４４】
この結果、肘掛け３の肘掛け本体３１の高さを、固定部材８に締結された調整部材９の長さだけ高い位置に調整することができる。
【００４５】
なお、詳細には説明しないが、図７に示したように、固定部材８に順に複数個の調整部材９を締結した後、支柱３２に締結することにより、固定部材８と直接締結される場合に比較して、支柱３２の長さを複数個の調整部材９の分だけ長くできることから、肘掛け３の肘掛け本体３１の高さを、固定部材８に締結された複数個の調整部材９の長さだけ高い位置に調整することもできる。
【００４６】
なお、前述した実施形態においては、ナット部材６をトイレ本体２とは別個に成形し、トイレ本体２の天板２１に形成された取付穴２１ａに嵌め込むことにより、ナット部材６を装着する場合を説明したが、接着剤にて接着するようにしてもよい。また、トイレ本体の成形時に、天板２１の取付穴２１ａに直接雌ねじを形成するようにしてもよい。
【産業上の利用可能性】
【００４７】
以上説明したように、本発明のポータブルトイレの肘掛け取付構造によれば、肘掛けの高さを使用者に合わせて簡単に調整することができるとともに、安全に使用することができるポータブルトイレを提供することができる。
【図面の簡単な説明】
【００４８】
【図１】本発明の肘掛け取付構造を備えたポータブルトイレを示す斜視図である。
【図２】図１のポータブルトイレの肘掛け取付構造を一部省略して示す断面図である。
【図３】ナット部材を示す半断面図である。
【図４】締付部材を示す半断面図である。
【図５】固定部材を示す半断面図である。
【図６】調整部材を示す半断面図である。
【図７】固定部材のガイド部側に調整部材を装着した状態を示す正面図である。
【図８】固定部材の把握部側に調整部材を装着した状態を示す正面図である。
【図９】調整部材を介して高さを調整した状態の肘掛け取付構造を一部省略して示す断面図である。
【符号の説明】
【００４９】
１  ポータブルトイレ
２  トイレ本体
２１  天板
２１ａ  取付穴
２１ｂ  内向きフランジ（支持部）
３  肘掛け
３１  肘掛け本体
３２  支柱
３２ａ  雌ねじ
６  ナット部材
６ａ  雌ねじ
７  締付部材
７ａ  雄ねじ
８  固定部材
８１  フランジ
８２  筒部
８２ａ  雄ねじ
８３  ガイド部
８４  把握部
８４ａ  雌ねじ
９  調整部材
９ａ  雄ねじ
９１  把握部
９１ａ  雌ねじ
【図１】
2005066038.tif 000003
【図２】
2005066038.tif 000004
【図３】
2005066038.tif 000005
【図４】
2005066038.tif 000006
【図５】
2005066038.tif 000007
【図６】
2005066038.tif 000008
【図７】
2005066038.tif 000009
【図８】
2005066038.tif 000010
【図９】
2005066038.tif 000011